(57)【要約】      （修正有）【課題】歯科矯正において、歯のエナメル質に傷をつけることなく、かつ迅速、容易にブラケットを歯へ固定するための取り付け具を提供する。【解決手段】歯科矯正ブラケットを患者の歯に固定するために使用される歯科矯正用ブラケット取り付け具であって、把持部１１と、上記把持部１１に連設され、歯の先端部に当接させうる板状の歯当接基準部１２と、上記歯当接基準部１２に設けられ、歯当接基準部１２から厚さ方向に所定間隔離間して配設されたブラケット支持部１３とを備えた。【選択図】図１
0003177010.tif 000002
【実用新案登録請求の範囲】
【請求項１】
歯科矯正ブラケットを患者の歯に固定するために使用される歯科矯正用ブラケット取り付け具であって、把持部と、上記把持部に連設され、歯の先端部に当接させうる板状の歯当接基準部と、上記歯当接基準部に設けられ、歯当接基準部から厚さ方向に所定間隔離間して配設されたブラケット支持部とを備えたことを特徴とする歯科矯正用ブラケット取り付け具。
【請求項２】
全体略十字形状に形成され、互いに略直角に配置された４つの歯当接基準部と、上記歯当接基準部の後端部において互いに連設された把持部とを備えていることを特徴とする請求項１記載の歯科矯正用ブラケット取り付け具。
【請求項３】
上記ブラケット支持部は、上記歯当接基準部上に配設され、基部と、上記基部に接合されて上記歯当接基準部と略平行に配置され、上記歯科矯正ブラケットのワイヤー挿通溝部に係止させうる支持部本体とを有することを特徴とする請求項１又は２のいずれか1項に記載の歯科矯正用ブラケット取り付け具。
【請求項４】
上記支持部本体は、細長棒状であって、先端部は先端に向かって上下方向において収斂するテーパ状に形成されていることを特徴とする請求項３記載の歯科矯正用ブラケット取り付け具。
【請求項５】
上記支持部本体は、歯当接基準部の先端部よりも把持部方向に後退して配設されていることを特徴とする請求項４記載の歯科矯正用ブラケット取り付け具。
【請求項６】
上記支持部本体の側面部には先端部に至る基準線表示部が形成されていることを特徴とする請求項５記載の歯科矯正用ブラケット取り付け具。
【請求項７】
上記４つのブラケット支持部は、夫々、歯当接基準部との間の間隔寸法が異なって設けられていることを特徴とする請求項３記載の歯科矯正用ブラケット取り付け具。
【考案の詳細な説明】
【技術分野】
【０００１】
本考案は、歯科矯正用ブラケット取り付け具の改良に関する。
【背景技術】
【０００２】
従来より、歯科治療においては、夫々の歯の前面部に合成樹脂製のブラケットを固定し、各ブラケットに連通するワイヤーを固定することにより、歯の矯正を行っている。
【０００３】
このようなブラケットを歯に固定する場合には、従来、図７に示すような測定ゲージ５０を使用している。このような測定ゲージ５０は、平面略十字板状に形成され、各片部５１の先端部には指示部５２が設けられ、上記支持部５２は、基部５３と、基部５３から各片部５１と略平行に先端部方向に向かって配設された指示針５４とにより構成されている。
【０００４】
ブラケットの取り付けの際には、歯科医師が上記測定ゲージ５０を指で把持し、各歯の先端部に各片部５１を当接させた状態で、上記指示針５４により各歯の前面部を軽く傷をつけてマーキングし、上記マーキングに基づいてブラケットを接着固定する（特許文献１参照）。
【０００５】
しかしながら、このような従来のブラケットの取り付け作業にあっては、上記測定ゲージ５０の指示針５４により、軽くではあるが歯のエナメル質を傷つけてしまうことから、歯のエナメル質を傷つけることなくブラケットを取り付けたい、という要請があった。
【０００６】
また、従来のブラケットの取り付け作業にあっては、まず、測定ゲージにより歯にマーキングを行った後に、ブラケットを固定するものであることから、ブラケットの歯への固定作業が煩雑であった。
【考案の開示】
【考案が解決しようとする課題】
【０００７】
本考案はこのような従来からの不具合を解決するためのものであって、その課題は、歯科矯正において、歯のエナメル質に傷をつけることなく、かつ迅速、容易にブラケットを歯へ固定することにある。
【課題を解決するための手段】
【０００８】
上記課題達成のため、請求項１記載の考案にあっては、歯科矯正ブラケットを患者の歯に固定するために使用される歯科矯正用ブラケット取り付け具であって、把持部と、上記把持部に連設され、歯の先端部に当接させうる板状の歯当接基準部と、上記歯当接基準部に設けられ、歯当接基準部から厚さ方向に所定間隔離間して配設されたブラケット支持部とを備えたことを特徴とする。
【０００９】
従って、請求項１記載の考案にあっては、歯科医師は、上記ブラケット支持部によりブラケットを支持させた状態で、上記歯当接基準部を歯の先端部に当接させた状態でブラケット支持部によりブラケットを歯の外側面部に固定する。
【００１０】
請求項２記載の考案にあっては、全体略十字形状に形成され、互いに略直角に配置された４つの歯当接基準部と、上記歯当接基準部の後端部において互いに連設された把持部とを備えていることを特徴とする。
【００１１】
従って、請求項２記載の考案にあっては、歯科医師は上記把持部を指で把持してブラケットの固定作業を行う。
【００１２】
請求項３記載の考案にあっては、上記ブラケット支持部は、上記歯当接基準部上に配設され、基部と、上記基部に接合されて上記歯当接基準部と略平行に配置され、上記ブラケットのワイヤー挿通溝部に係止させうる支持部本体とを有することを特徴とする。
【００１３】
従って、請求項３記載の考案にあっては、上記ブラケット支持部に上記ブラケットを係止させた状態でブラケットの歯への固定作業を行う。
【００１４】
請求項４記載の考案にあっては、上記支持部本体は、細長棒状であって、先端部は先端に向かって上下方向において収斂するテーパ状に形成されていることを特徴とする。
【００１５】
従って、請求項４記載の考案にあっては、支持部本体の先端部は先端に向かって上下方向において収斂するテーパ状に形成されていることから、ブラケットの固定時にはブラケットに係止させやすい。
【００１６】
請求項５記載の考案にあっては、上記支持部本体は、歯当接基準部の先端部よりも把持部方向に後退して配設されていることを特徴とする。
【００１７】
従って、請求項５記載の考案にあっては、歯へのブラケット固定時には、先ず、歯当接基準部を歯先端部に当接させ、その後、ブラケットを係止させた支持部本体によりブラケットを歯外側面部に当接させることができる。
【００１８】
請求項６記載の考案にあっては、上記支持部本体の側面部には先端部に至る基準線表示部が形成されていることを特徴とする。
従って、請求項６記載の考案にあっては、ブラケットの歯への固定時には、支持部本体の側面部には基準線表示部が形成されていることから、上記基準線を目安にしてブラケットを固定することができる。
【００１９】
請求項７記載の考案にあっては、上記４つのブラケット支持部は、夫々、歯当接基準部との間の間隔寸法が異なって設けられていることを特徴とする。
従って、請求項７記載の考案にあっては、歯の大きさに従って、適宜、ブラケットの歯先端部からの固定位置を変えることができる。
【考案の効果】
【００２０】
請求項１記載の考案に係る歯科矯正用ブラケット取り付け具にあっては、把持部と、上記把持部に連設され、歯の先端部に当接させうる板状の歯当接基準部と、上記歯当接基準部に設けられ、歯当接基準部から厚さ方向に所定間隔離間して配設されたブラケット支持部とを備え、歯科医師は、上記ブラケット支持部によりブラケットを支持させた状態で、上記歯当接基準部を歯の先端部に当接させた状態でブラケット支持部によりブラケットを歯の外側面部に固定するように構成されていることから、従来のように、指示針により歯の外側面部のエナメル質を擦過して傷つけることがなくブラケットを歯に固定することができる。その結果、歯を傷つけることなく歯科矯正を行うことができる。
【００２１】
また、請求項１記載の考案にあっては、ブラケット支持部にブラケットを支持させた状態で歯の先端部に歯当接基準部を当接させ、その状態のままブラケット支持部によりブラケットを歯の外側面部に押圧して固定できることから、従来のように、先ず、指示針により歯の外側面部を擦過することによりエナメル質を傷つけてブラケットの固定位置をマーキングし、当該マーキングに従ってブラケットを別途固定する必要がなく、一回の作業によりブラケットの固定位置の割出しと、ブラケットの固定作業とを同時に行うことができるため、容易かつ迅速に歯科矯正ブラケットの歯への固定作業を行うことができる。
【００２２】
請求項２記載の考案にあっては、全体略十字形状に形成され、互いに略直角に配置された４つの歯当接基準部と、上記歯当接基準部の後端部において互いに連設された把持部とを備えており、歯科医師は上記把持部を指で把持してブラケットの固定作業を行うように構成されていることから、請求項１記載の効果に加えて、従来の測定ゲージと同様の使用感によりブラケットの固定作業を行うことができる。
【００２３】
請求項３記載の考案にあっては、上記ブラケット支持部は、上記歯当接基準部上に配設され、基部と、上記基部に接合されて上記歯当接基準部と略平行に配置され、上記ブラケットのワイヤー挿通溝部に係止させうる支持部本体とを有し、上記ブラケット支持部に上記ブラケットを係止させた状態でブラケットの歯への固定作業を行うように構成されていることから、容易にブラケットを歯の外側面部の固定位置に固定することができる。
【００２４】
請求項４記載の考案にあっては、上記支持部本体は、細長棒状であって、先端部は先端に向かって上下方向において収斂するテーパ状に形成されており、上記支持部本体の先端部は先端に向かって上下方向において収斂するテーパ状に形成されていることから、ブラケットの固定時にはブラケットに係止させやすいため、ブラケットの歯への固定作業を容易に行うことができる。
【００２５】
請求項５記載の考案にあっては、上記支持部本体は、歯当接基準部の先端部よりも把持部方向に後退して配設されており、歯へのブラケット固定時には、先ず、歯当接基準部を歯先端部に当接させ、その後、ブラケットを係止させた支持部本体によりブラケットを歯外側面部に当接させることができるように構成されており、歯の先端部への歯当接基準部の当接作業を行うことにより当該歯へのブラケットの固定位置を特定し、同時に、当該固定位置へブラケットの固定作業を行うことができる。
【００２６】
請求項６記載の考案にあっては、上記支持部本体の側面部には先端部に至る基準線表示部が形成されており、ブラケットの歯への固定時には、支持部本体の側面部には基準線表示部が形成されていることから、上記基準線を目安にしてブラケットを固定することができるように構成されており、歯科医師はブラケットの固定作業時に、容易にブラケットの固定予定位置を目視により確認することができる。
【００２７】
請求項７記載の考案にあっては、上記４つのブラケット支持部は、夫々、歯当接基準部との間の間隔寸法が異なって設けられており、歯の大きさに従って、適宜、ブラケットの歯先端部からの固定位置を変えることができるように構成されていることから、歯の大きさに関わらず、適切な部位にブラケットを固定することができる。
【図面の簡単な説明】
【００２８】
【図１】本考案に係る歯科矯正用ブラケット取り付け具の一実施の形態を示す斜視図である。
【図２】本考案に係る歯科矯正用ブラケット取り付け具の一実施の形態を示す側面図である。
【図３】本考案に係る歯科矯正用ブラケット取り付け具の一実施の形態を示す平面図である。
【図４】歯科矯正治療に使用される歯科矯正ブラケットを一般的に示す斜視図である。
【図５】本考案に係る歯科矯正用ブラケット取り付け具の一実施の形態を用いて歯科矯正ブラケットを歯に取り付ける場合を示す説明図である。
【図６】本考案に係る歯科矯正用ブラケット取り付け具の一実施の形態を用いて歯科矯正ブラケットを歯に取り付けた状態を示す説明図である。
【図７】従来の歯科矯正用ブラケット取り付け具の一例を示す斜視図である。
【考案を実施するための最良の形態】
【００２９】
以下、添付図面に示す実施の形態に基づき、本考案を詳細に説明する。
図１〜図３に示すように、本実施の形態に係る歯科矯正用ブラケット取り付け具１０は、把持部１１と、上記把持部１１に連設され、歯の先端部に当接させうる細長板状の歯当接基準部１２と、上記歯当接基準部１２に設けられ、歯当接基準部１２から厚さ方向に所定間隔離間して配設されたブラケット支持部１３とを備えている。
【００３０】
本実施の形態にあっては、歯科矯正用ブラケット取り付け具１０は、全体略十字形状に形成され、互いに略直角に配置された４つの歯当接基準部１２、１２、１２、１２と、上記歯当接基準部１２の後端部において互いに連設された把持部１１とを備えている。
【００３１】
上記歯当接基準部１２は、平面形状が、先端部に至るに従って、細くなるようなテーパ状に形成されており、把持部１３は中央部に形成され、中央に円形孔部１４が開設されている。
【００３２】
上記ブラケット支持部１３は、各歯当接基準部１２上に、夫々、配設され、長さ方向中間部に設けられた略直方体状の基部１５と、上記基部１５に略直角に接合されて上記歯当接基準部１２と略平行に配置され、図４に示す合成樹脂製の歯科矯正ブラケット１６のワイヤー挿通溝部１７に係止させうる支持部本体１８とを有している。
【００３３】
上記支持部本体１８は、細長棒状であって、上記ワイヤー挿通溝部１７に係止させやすいように、先端部２０は先端に向かって上下方向において収斂するテーパ状に形成され、上記先端部２０には薄板状端部２１が形成されている。  
【００３４】
上記支持部本体１８は、歯当接基準部１２の先端部２０よりも把持部１１方向に後退して配設されている。上記支持部本体１８の側面部には薄板状端部２１に至る基準線表示部１９が形成されている。
【００３５】
上記基準線表示部１９は、支持部本体１８の略後端部２２から薄板状端部２１へ至り、支持部本体１８の厚さ方向中間部に形成されている。
【００３６】
本実施の形態にあっては、上記４つのブラケット支持部１３は、夫々、歯当接基準部１２との間の間隔寸法が異なって設けられている。
即ち、図１及び図３に示すように、４つの歯当接基準部１２の上面であって、ブラケット支持部１３の後方には、夫々、「４．２５」、「４．５」、「４．７５」、「５．０」の数字が記載されているが、これらの数字は、夫々、歯当接基準部１２の上面と上記基準線表示部１９との間の間隔寸法をｍｍ単位で示す。
【００３７】
従って、本実施の形態にあっては、歯の大きさに従って、適宜の適切な部位に歯科矯正ブラケット１６を固定できるように構成されている。
【００３８】
以下、本実施の形態に係る歯科矯正用ブラケット取り付け具１０の使用方法について説明する。
本実施の形態に係る歯科矯正用ブラケット取り付け具１０を使用して、図４に示す歯科矯正ブラケット１６を患者の歯に固定する場合には、図５に示すように、把持部１１を指で把持して、患者２４の歯２３の大きさに従って、適宜のブラケット支持部１３を選択し、当該支持部本体１８の薄板状端部２１を、底面部２５に接着剤を塗布した歯科矯正ブラケット１６のワイヤー挿通溝部１７へ挿入して係止させ、歯科矯正ブラケット１６をブラケット支持部１３により保持する。
【００３９】
その後、図６に示すように、患者２４の歯２３へ接近させて歯科矯正ブラケット１６を歯２３の前面部２６に押圧させ、底面部２５に塗布された接着剤を介して歯２４の前面部２６に固定する。
【００４０】
この作業を繰り返すことにより、各歯２４の前面部に夫々、歯科矯正ブラケット１６を固定させて、各歯科矯正ブラケット１６の各ワイヤー挿通溝部１７を貫通させた状態でワイヤー（図示せず）を配設することにより各歯２３を固定して矯正治療を行う。
なお、本考案に係る歯科矯正用ブラケット取り付け具の具体的構成に関しては、上記実施の形態に限定されない。また、使用される歯科矯正ブラケットは図４に示す具体的形態に限定されず、ワイヤー挿通溝部が形成されていればよい。
【産業上の利用可能性】
【００４１】
本考案は、広く歯科矯正用ブラケット取り付け具に適用することができることから産業上の利用可能性を有している。
【符号の説明】
【００４２】
１０  歯科矯正用ブラケット取り付け具
１１  把持部
１２  歯当接基準部
１３  ブラケット支持部
１４  円形孔部
１５  基部
１６  歯科矯正ブラケット
１７  ワイヤー挿通溝部
１８  支持部本体
１９  基準線表示部
２０  先端部
２１  薄板状端部
２２  後端部
２３  歯
２４  患者    
２５  底面部
２６  前面部
【図１】
0003177010.tif 000003
【図２】
0003177010.tif 000004
【図３】
0003177010.tif 000005
【図４】
0003177010.tif 000006
【図５】
0003177010.tif 000007
【図６】
0003177010.tif 000008
【図７】
0003177010.tif 000009